【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
電力余裕をレポートするユーザ装置（ＵＥ）における方法であって、前記方法は、
少なくとも物理アップリンク制御チャネル（ＰＵＣＣＨ）での送信のための電力余裕を決定する工程（７０３）と、
少なくとも前記ＰＵＣＣＨでの送信のための前記電力余裕を示す少なくとも１つの電力余裕レポートを基地局に送信する工程（７０４）とを有することを特徴とする方法。
【請求項２】
前記電力余裕は前記ＰＵＣＣＨと物理アップリンク共用チャネル（ＰＵＳＣＨ）での送信のために決定され、
前記少なくとも１つの電力余裕レポートは、前記ＰＵＣＣＨと前記ＰＵＳＣＨでの送信のための前記電力余裕を示すことを特徴とする請求項１に記載の方法。
【請求項３】
前記ＰＵＣＣＨと前記ＰＵＳＣＨでの送信のための前記電力余裕を示す前記少なくとも１つの電力余裕レポートは、ＰＵＳＣＨでの送信のための電力余裕を示す電力余裕レポートと組み合わされて送信されることを特徴とする請求項２に記載の方法。
【請求項４】
前記ＰＵＣＣＨと前記ＰＵＳＣＨでの送信のための前記電力余裕を示す前記少なくとも１つの電力余裕レポートは、ＰＵＣＣＨでの送信のための電力余裕を示す電力余裕レポートと組み合わされて送信されることを特徴とする請求項２に記載の方法。
【請求項５】
前記電力余裕は前記ＰＵＣＣＨでの送信のために決定され、
前記少なくとも１つの電力余裕レポートは、前記ＰＵＣＣＨでの送信のための前記電力余裕を示すことを特徴とする請求項１に記載の方法。
【請求項６】
前記少なくとも１つの電力余裕レポートは、所与のコンポーネントキャリア（ｃ）に対して利用可能な送信電力を示すことを特徴とする請求項１乃至５のいずれか１項に記載の方法。
【請求項７】
前記少なくとも１つの電力余裕レポートは、全てのコンポーネントキャリアに対する総和として定義されることを特徴とする請求項１乃至５のいずれか１項に記載の方法。
【請求項８】
前記ＰＵＣＣＨと前記ＰＵＳＣＨでの送信のための前記電力余裕を示す前記少なくとも１つの電力余裕レポートは、前記ＰＵＳＣＨでの送信のための電力余裕を示す前記電力余裕レポートと同時に送信されることを特徴とする請求項４に記載の方法。
【請求項９】
前記ＰＵＣＣＨと前記ＰＵＳＣＨでの送信のための前記電力余裕を示す前記少なくとも１つの電力余裕レポートは、前記ＰＵＳＣＨでの送信のための電力余裕を示す前記電力余裕レポートと比較して別のタイミングで送信されることを特徴とする請求項４に記載の方法。
【請求項１０】
ＵＥをスケジューリングする基地局における方法であって、前記方法は、
前記ＵＥから少なくとも物理アップリンク制御チャネル（ＰＵＣＣＨ）での送信のための電力余裕を示す少なくとも１つの電力余裕レポートを受信する工程（６０３）と、
前記ＵＥをスケジューリングする工程（６０４）とを有することを特徴とする方法。
【請求項１１】
前記ＵＥのスケジューリングは、前記受信した少なくとも１つの電力余裕レポートの情報に基くことを特徴とする請求項１０に記載の方法。
【請求項１２】
前記少なくとも１つの電力余裕レポートは、前記ＰＵＣＣＨと物理アップリンク共用チャネル（ＰＵＳＣＨ）での送信のための電力余裕を示すことを特徴とする請求項１０に記載の方法。
【請求項１３】
前記ＰＵＣＣＨと前記ＰＵＳＣＨでの送信のための前記電力余裕を示す前記少なくとも１つの電力余裕レポートは、ＰＵＳＣＨでの送信のための電力余裕を示す電力余裕レポートと組み合わされて受信されることを特徴とする請求項１２に記載の方法。
【請求項１４】
前記ＰＵＣＣＨと前記ＰＵＳＣＨでの送信のための前記電力余裕を示す前記少なくとも１つの電力余裕レポートは、ＰＵＣＣＨでの送信のための電力余裕を示す電力余裕レポートと組み合わされて受信されることを特徴とする請求項１２に記載の方法。
【請求項１５】
前記少なくとも１つの電力余裕レポートは、前記ＰＵＣＣＨでの送信のための前記電力余裕を示すことを特徴とする請求項１０に記載の方法。
【請求項１６】
ユーザ装置（ＵＥ）（８０６）であって、
少なくとも物理アップリンク制御チャネル（ＰＵＣＣＨ）での送信のための電力余裕を決定するよう構成されたプロセッサ（８０４）と、
少なくとも前記ＰＵＣＣＨでの送信のための前記電力余裕を示す少なくとも１つの電力余裕レポートを基地局に送信するよう構成された送信器（８０５）とを有することを特徴とするユーザ装置。
【請求項１７】
前記電力余裕は前記ＰＵＣＣＨと物理アップリンク共用チャネル（ＰＵＳＣＨ）での送信のために決定され、
前記少なくとも１つの電力余裕レポートは、前記ＰＵＣＣＨと前記ＰＵＳＣＨでの送信のための前記電力余裕を示すことを特徴とする請求項１６に記載のユーザ装置。
【請求項１８】
前記ＰＵＣＣＨと前記ＰＵＳＣＨでの送信のための前記電力余裕を示す前記少なくとも１つの電力余裕レポートは、ＰＵＳＣＨでの送信のための電力余裕を示す電力余裕レポートと組み合わされて送信されることを特徴とする請求項１７に記載のユーザ装置。
【請求項１９】
前記ＰＵＣＣＨと前記ＰＵＳＣＨでの送信のための前記電力余裕を示す前記少なくとも１つの電力余裕レポートは、ＰＵＣＣＨでの送信のための電力余裕を示す電力余裕レポートと組み合わされて送信されることを特徴とする請求項１７に記載のユーザ装置。
【請求項２０】
前記電力余裕は前記ＰＵＣＣＨでの送信のために決定され、
前記少なくとも１つの電力余裕レポートは、前記ＰＵＣＣＨでの送信のための前記電力余裕を示すことを特徴とする請求項１６に記載のユーザ装置。
【請求項２１】
前記少なくとも１つの電力余裕レポートは、所与のコンポーネントキャリア（ｃ）に対して利用可能な送信電力を示すことを特徴とする請求項１６乃至２０のいずれか１項に記載のユーザ装置。
【請求項２２】
前記少なくとも１つの電力余裕レポートは、全てのコンポーネントキャリアに対する総和として定義されることを特徴とする請求項１６乃至２０のいずれか１項に記載のユーザ装置。
【請求項２３】
前記ＰＵＣＣＨと前記ＰＵＳＣＨでの送信のための前記電力余裕を示す前記少なくとも１つの電力余裕レポートは、前記ＰＵＳＣＨでの送信のための電力余裕を示す前記電力余裕レポートと同時に送信されることを特徴とする請求項１９に記載のユーザ装置。
【請求項２４】
前記ＰＵＣＣＨと前記ＰＵＳＣＨでの送信のための前記電力余裕を示す前記少なくとも１つの電力余裕レポートは、前記ＰＵＳＣＨでの送信のための電力余裕を示す前記電力余裕レポートと比較して別のタイミングで送信されることを特徴とする請求項１９に記載のユーザ装置。
【請求項２５】
基地局（８００）であって、
ユーザ装置（ＵＥ）から少なくとも物理アップリンク制御チャネル（ＰＵＣＣＨ）での送信のための電力余裕を示す少なくとも１つの電力余裕レポートを受信するよう構成された受信器（８０７）と、
前記ＵＥをスケジューリングするよう構成されたプロセッサ（８０１）とを有することを特徴とする基地局。
【請求項２６】
前記ＵＥをスケジューリングすることは、前記受信した少なくとも１つの電力余裕レポートの情報に基いていることを特徴とする請求項２５に記載の基地局。
【請求項２７】
前記少なくとも１つの電力余裕レポートは、前記ＰＵＣＣＨと物理アップリンク共用チャネル（ＰＵＳＣＨ）での送信のための電力余裕を示すことを特徴とする請求項２５に記載の基地局。
【請求項２８】
前記ＰＵＣＣＨと前記ＰＵＳＣＨでの送信のための前記電力余裕を示す前記少なくとも１つの電力余裕レポートは、ＰＵＳＣＨでの送信のための電力余裕を示す電力余裕レポートと組み合わされて受信されることを特徴とする請求項２６に記載の基地局。
【請求項２９】
前記ＰＵＣＣＨと前記ＰＵＳＣＨでの送信のための前記電力余裕を示す前記少なくとも１つの電力余裕レポートは、ＰＵＣＣＨでの送信のための電力余裕を示す電力余裕レポートと組み合わされて受信されることを特徴とする請求項２６に記載の基地局。
【請求項３０】
前記少なくとも１つの電力余裕レポートは、前記ＰＵＣＣＨでの送信のための前記電力余裕を示すことを特徴とする請求項２５に記載の基地局。